(57)【要約】      （修正有）【課題】簡易かつ安価な構成の防煙避難用具で手軽に５〜１０分間程度の通常の空気の呼吸を可能にして、火災等の現場からの安全な脱出の可能性を高める。【解決手段】少なくとも口を覆うように頭に装着可能なマスク１と、畳まれた収納状態から開放されると自動的に拡張させる弾性部材２ａを有する主空気袋２と、前記主空気袋に接続されており、畳まれた収納状態から開放されると自動的に拡張させる弾性部材３ｃを有し、その筒状の拡張形状の両端部を互いに接続することにより利用者の首周りに装着可能なリング状をなす副空気袋３と、前記副空気袋と前記マスクとを連通させる二本の空気通路４，５と、前記空気通路の一方を介して空気を前記副空気袋から前記マスクへ向けてのみ通流させる吸気用通気弁６と、前記空気通路の他方を介して空気を前記マスクから前記副空気袋へ向けてのみ通流させる排気用通気弁７と、を具えてなる防煙避難用具である。【選択図】図１
2007296032.tif 000002
【特許請求の範囲】
【請求項１】
少なくとも利用者の口を覆うように利用者の頭に装着可能なマスクと、
畳まれた収納状態から開放されると当該主空気袋を自動的に拡張させる弾性部材を有し、前記マスクへの空気の供給と前記マスクから排出された空気の収容とに用いられる主空気袋と、
前記主空気袋に接続されており、畳まれた収納状態から開放されると当該副空気袋を自動的に拡張させる弾性部材を有し、その筒状の拡張形状の両端部を互いに接続可能とされ、その両端部の接続により利用者の首周りに装着可能なリング状をなし、前記主空気袋とともに前記マスクへの空気の供給と前記マスクから排出された空気の収容とに用いられる副空気袋と、
前記副空気袋または前記主空気袋と前記マスクとを連通させる二本の空気通路と、
前記空気通路の一方を介して空気を前記副空気袋または前記主空気袋から前記マスクへ向けてのみ通流させる吸気用通気弁と、
前記空気通路の他方を介して空気を前記マスクから前記副空気袋または前記主空気袋へ向けてのみ通流させる排気用通気弁と、
を具えてなる防煙避難用具。
【請求項２】
少なくとも利用者の口を覆うように利用者の頭に装着可能なマスクと、
前記マスクへの空気の供給と前記マスクから排出された空気の収容とに用いられる主空気袋と、
前記主空気袋に接続されており、畳まれた収納状態から開放されると当該副空気袋を自動的に拡張させる弾性部材を有し、筒状の拡張形状の両端部を互いに接続可能とされ、その両端部の接続により利用者の首周りに装着可能なリング状をなし、前記主空気袋とともに前記マスクへの空気の供給と前記マスクから排出された空気の収容とに用いられ、前記筒状の拡張状態から人力で圧縮されると前記主空気袋へ空気を供給するポンプとして機能する副空気袋と、
前記副空気袋または前記主空気袋と前記マスクとを連通させる二本の空気通路と、
前記空気通路の一方を介して空気を前記副空気袋または前記主空気袋から前記マスクへ向けてのみ通流させる吸気用通気弁と、
前記空気通路の他方を介して空気を前記マスクから前記副空気袋または前記主空気袋へ向けてのみ通流させる排気用通気弁と、
を具えてなる防煙避難用具。
【請求項３】
前記主空気袋は、畳まれた収納状態から開放されると当該主空気袋を自動的に拡張させる弾性部材を有することを特徴とする、請求項２記載の防煙避難用具。
【請求項４】
前記マスクには、煙および有毒ガスから目を保護するとともに視界を確保するための透明なシールド手段が付帯していることを特徴とする、請求項１から３までの何れか記載の防煙避難用具。
【請求項５】
前記マスクは、畳まれた収納状態から開放されると当該マスクを自動的に拡張させる弾性部材を有することを特徴とする、請求項１から４までの何れか記載の防煙避難用具。
【請求項６】
前記空気通路は、畳まれた収納状態から開放されると当該空気通路を自動的に伸張させる弾性部材を有することを特徴とする、請求項１から５までの何れか記載の防煙避難用具。
【発明の詳細な説明】
【技術分野】
【０００１】
この発明は、火災等の現場から煙や有毒ガス等を吸い込まずに避難するための避難用具に関し、特には、短時間で自動的に拡張して使用可能となる簡易な避難用具に関するものである。
【背景技術】
【０００２】
火災等の現場から煙や有毒ガス等を吸い込まずに避難するには、５〜１０分間程度通常の空気を呼吸できれば足りることが多い。
【０００３】
一方、従来の避難用具として、高圧の酸素を収容した酸素タンクを具えるマスク（特許文献１参照）等が知られている。
【特許文献１】実用新案登録第３０４７６０４号公報
【発明の開示】
【発明が解決しようとする課題】
【０００４】
しかしながら上述の酸素タンクを具えるマスク等の複雑で高価な避難用具は知られていたものの、５〜１０分間程度の通常の空気の呼吸を可能にする簡易かつ安価な避難器具がなかったため、呼吸困難等によって火災等の現場から脱出できなくなる場合が多いという問題があった。
【課題を解決するための手段】
【０００５】
この発明は、上記課題を有利に解決することを目的とするものであり、請求項１記載のこの発明の防煙避難用具は、少なくとも利用者の口を覆うように利用者の頭に装着可能なマスクと、畳まれた収納状態から開放されると当該主空気袋を自動的に拡張させる弾性部材を有し、前記マスクへの空気の供給と前記マスクから排出された空気の収容とに用いられる主空気袋と、前記主空気袋に接続されており、畳まれた収納状態から開放されると当該副空気袋を自動的に拡張させる弾性部材を有し、その筒状の拡張形状の両端部を互いに接続可能とされ、その両端部の接続により利用者の首周りに装着可能なリング状をなし、前記主空気袋とともに前記マスクへの空気の供給と前記マスクから排出された空気の収容とに用いられる副空気袋と、前記副空気袋または前記主空気袋と前記マスクとを連通させる二本の空気通路と、前記空気通路の一方を介して空気を前記副空気袋または前記主空気袋から前記マスクへ向けてのみ通流させる吸気用通気弁と、前記空気通路の他方を介して空気を前記マスクから前記副空気袋または前記主空気袋へ向けてのみ通流させる排気用通気弁と、を具えてなるものである。
【０００６】
また請求項２記載のこの発明の防煙避難用具は、少なくとも利用者の口を覆うように利用者の頭に装着可能なマスクと、前記マスクへの空気の供給と前記マスクから排出された空気の収容とに用いられる主空気袋と、前記主空気袋に接続されており、畳まれた収納状態から開放されると当該副空気袋を自動的に拡張させる弾性部材を有し、筒状の拡張形状の両端部を互いに接続可能とされ、その両端部の接続により利用者の首周りに装着可能なリング状をなし、前記主空気袋とともに前記マスクへの空気の供給と前記マスクから排出された空気の収容とに用いられ、前記筒状の拡張状態から人力で圧縮されると前記主空気袋へ空気を供給するポンプとして機能する副空気袋と、前記副空気袋または前記主空気袋と前記マスクとを連通させる二本の空気通路と、前記空気通路の一方を介して空気を前記副空気袋または前記主空気袋から前記マスクへ向けてのみ通流させる吸気用通気弁と、前記空気通路の他方を介して空気を前記マスクから前記副空気袋または前記主空気袋へ向けてのみ通流させる排気用通気弁と、を具えてなるものである。
【発明の効果】
【０００７】
かかるこの発明の防煙避難用具にあっては、当該防煙避難用具の利用者が、主空気袋および副空気袋を収納バッグ等から取り出して収納状態から開放すると、それら主空気袋および副空気袋のうち少なくとも副空気袋が有する弾性部材の弾性で、例えば副空気袋の両端部の開口部等から空気を取り入れながら少なくとも副空気袋が自動的に筒状に拡張し、主空気袋も弾性部材を有する場合はその弾性で主空気袋も自動的に拡張し、副空気袋がポンプとして機能する場合はその副空気袋の機能により主空気袋が空気を供給されて拡張する。そして利用者が、頭に装着したマスクで少なくとも口を覆うとともに、筒状の副空気袋を首の周りに廻してその両端部を接続すると、二本の空気通路と吸気用通気弁および排気用通気弁とを介して、主空気袋および副空気袋内の空気がマスクに供給されるとともに、そのマスクから排出された空気が主空気袋および副空気袋内に収容される。
【０００８】
従ってこの発明の防煙避難用具によれば、主空気袋および副空気袋内の空気がマスクとの間で循環しつつ呼気に供されるので、高圧の酸素タンクのない簡易かつ安価な構成で手軽に５〜１０分間程度の通常の空気の呼吸を可能にし得て、火災等の現場からの安全な脱出の可能性を高めることができる。
【０００９】
しかもこの発明の防煙避難用具によれば、主空気袋および副空気袋を収納バッグ等から取り出して収納状態から開放すると、それら主空気袋および副空気袋のうち少なくとも副空気袋が有する弾性部材の弾性力で、それら主空気袋および副空気袋のうち少なくとも副空気袋が自動的に拡張するので、火災等の現場で短時間で容易に使用可能な状態にすることができ、さらに、主空気袋も弾性部材を有する場合はその弾性で主空気袋も自動的に拡張するのでより短時間で使用可能な状態にすることができ、また副空気袋がポンプとして機能する場合は主空気袋を強制的に拡張させることができる。
【００１０】
なお、この発明においては、前記主空気袋が、畳まれた収納状態から開放されると当該主空気袋を自動的に拡張させる弾性部材を有していても良く、このようにすれば、主空気袋を弾性部材で自動的に拡張させつつ、副空気袋をポンプとして機能させて主空気袋の拡張を助けることができるので好ましい。
【００１１】
また、この発明においては、前記マスクに、煙および有毒ガスから目を保護するとともに視界を確保するための透明なシールド手段が付帯していても良く、このようにすれば、避難時にシールド手段で視界の確保が容易になるので好ましい。
【００１２】
さらにこの発明においては、前記マスクが、畳まれた収納状態から開放されると当該マスクを自動的に拡張させる弾性部材を有していても良く、このようにすれば、マスクも、収納バッグ等から取り出して収納状態から開放すると、弾性部材の弾性力で自動的にかつ短時間で拡張するので、火災等の現場で容易に装着することができる。
【００１３】
さらにこの発明においては、前記空気通路が、畳まれた収納状態から開放されると当該空気通路を自動的に伸張させる弾性部材を有していても良く、このようにすれば、空気通路も、収納バッグ等から取り出して収納状態から開放すると、弾性部材の弾性力で自動的にかつ短時間で伸張するので、火災等の現場で容易に用いることができる。
【発明を実施するための最良の形態】
【００１４】
以下、本発明の実施の形態を実施例によって、図面に基づき詳細に説明する。ここに、図１は、この発明の防煙避難用具の一実施例を人への装着状態で示す側面図、図２は、その実施例の防煙避難用具を人への装着状態で示す正面図、図３（ａ），（ｂ）は、上記実施例の防煙避難具の主空気袋および副空気袋を展開状態で示す背面図および側面図、図４（ａ），（ｂ）は、上記実施例の防煙避難具のマスクおよびエアホースをそれぞれ示す正面図、図５（ａ），（ｂ）は、上記実施例の防煙避難具の副空気袋の両端部の構成を示す説明図およびその副空気袋のポンプとしての動きを示す説明図である。
【００１５】
この実施例の防煙避難用具は、図１および図２に示すように、マスク１と、主空気袋２と、その主空気袋２に気密に結合された副空気袋３と、二本の空気通路としての二本のエアホース４，５と、副空気袋３の長手方向一端部横の開口部３ａに設けられた逆止弁である吸気用通気弁６と、副空気袋３の長手方向他端部横の開口部３ｂに設けられた逆止弁である排気用通気弁７とを具えている。
【００１６】
ここで、マスク１は、図４（ａ）にも示すように、当該避難用具の利用者Ｐの口と鼻とを含めた顔全体を当該マスクで覆うために頭頂部から顎まで当るようにした縦長の略長円形の環状ワイヤからなる全体枠１ａと、その利用者の両目を囲むようにした横長の略長円形の環状ワイヤからなるゴーグル枠１ｂと、それら全体枠１ａおよびゴーグル枠１ｂを全面的に気密に覆う、例えばフッ素樹脂等の透明かつ軟質の耐熱性樹脂シート１ｃと、その樹脂シート１ｃの、ゴーグル枠１ｂの下側の位置に設けられた開口部に気密に固着された、二本のエアホース４，５を気密に接続するためのコネクタ１ｄと、全体枠１ａを頭部に固着するために後頭部に掛け渡される伸縮可能なバンド１ｅと、全体枠１ａを包む軟いパッド１ｆとを有しており、ゴーグル枠１ｂの左右端部は、パッド１ｆの左右部分の上下方向中央部にそれぞれ結合されており、そのパッド１ｆの左右部分の上下方向中央部には、バンド１ｅの左右端部も結合されている。
【００１７】
これにより、樹脂シート１ｃが張り渡されたはゴーグル枠１ｂは、煙および有毒ガスから目を保護する透明なシールド手段として機能する。また全体枠１ａおよびゴーグル枠１ｂはそれぞれ、可撓性を持つ環状ワイヤからなるので、手で捻りながら二つ折りにして畳むことで小さくしてバッグ等の収納場所に収納することができ、その収納場所から出して解放するとそれ自身の弾性力で自動的に拡張して元の略長円形に復元する。
【００１８】
主空気袋２は、マスク１に空気を供給するとともに、そのマスク１から排出された空気を収容するためのもので、図３（ａ），（ｂ）にも示すように、耐熱性を持つとともに空気の通流を阻止する合成樹脂製の布状物からなり、内部にマスク１の全体枠１ａおよびゴーグル枠１ｂと同様の、互いに結合した二本の環状ワイヤからなる、弾性部材としての弾性フレーム２ａを有していて、それらの弾性フレーム２ａを全体枠１ａおよびゴーグル枠１ｂと同様に手で捻りながら二つ折りにして押し潰すことで、折りたたみ式テントのように外径、厚さとも小さく畳んでバッグ等の収納場所に収納することができ、その収納場所から出して解放すると弾性フレーム２ａの弾性力で自動的に拡張する。この主空気袋２の上端中央部には、副空気袋３の下部の長手方向中央部に連通する大きな開口部２ｂが設けられている。
【００１９】
主空気袋２の下部の両側にはそれぞれ、この主空気袋２を胴体に装着するためのベルト２ｃが設けられ、これらのベルト２ｃの先端部には胴回りの大小に対応可能なように、互いに任意の位置で接合可能な面ファスナ２ｄが設けられている。ベルト２ｃにはまた、救助を呼ぶための笛９がクリップで嵌着されている。
【００２０】
副空気袋３は、主空気袋２内に空気を充填するポンプとしても機能するもので、図３（ａ），（ｂ）にも示すように、主空気袋２と同様、耐熱性を持つとともに空気の通流を阻止する合成樹脂製の布状物からなり、長い筒状をなすとともにその内部に、例えば端に近づくほど外径が小さくなるコイルスプリングからなる、弾性部材としての弾性フレーム３ｃを有していて、図５（ｂ）に示すように押し潰すことで、提灯のように小さく畳んで主空気袋２と一緒にバッグ等の収納場所に収めることができ、その収納場所から出して解放すると、弾性フレーム３ｃの弾性力で自動的に拡張する。
【００２１】
この副空気袋３の下部の長手方向中央部には大きな開口部３ｄが設けられており、副空気袋３の下部中部と主空気袋２の上端中央部とは、それらの開口部３ｄ，２ｂ同士が連通するように気密にかつ一体的に結合されている。
【００２２】
さらに、副空気袋３の長手方向両端部には耐熱性を持つ可撓性合成樹脂製の円盤状部材３ｅ，３ｆがそれぞれ気密に設けられ、図５（ａ）に示すように、それらの円盤状部材３ｅ，３ｆにはそれぞれ、開口部３ｇが設けられるとともに手を入れるための伸縮可能なベルト３ｈが設けられており、図５（ｂ）に示すように、円盤状部材３ｅ，３ｆとベルト３ｈとの間に手を入れて開口部３ｇを塞ぎながら円盤状部材３ｅ，３ｆを中央部へ向けて両手で押すと、副空気袋３が縮まってその内部の空気が開口部３ｄから主空気袋２の開口部２ｂを通って主空気袋２内に流入する。そして開口部３ｇを開けながら両手の間隔を広げれば副空気袋３は開口部３ｇから空気を吸入しながら弾性フレーム３ｃの弾性力で自動的に拡張する。
【００２３】
また円盤状部材３ｅ，３ｆは、図５（ａ）に矢印で示すように押し付けあうことで、図２に示すように、互いに気密に嵌まり合うことができ、その状態では、円盤状部材３ｅ，３ｆの開口部３ｇは何れも縮んだベルト３ｈで閉止されていて、図２に示すように、副空気袋３は円盤状部材３ｅ，３ｆで仕切られた環状の内部空間を持って利用者の頭の周囲に嵌まるドーナツ状の袋になる。
【００２４】
二本のエアホース４，５は、各々耐熱性を持つ可撓性合成樹脂からなるとともに内部にコイルスプリングからなる、弾性部材としての弾性フレーム４ｃ，５ｃを有していて、図４（ｂ）にも示すように、一本の筒状の連結部材８にそれぞれ一端部４ａ，５ａを連結されるとともに、互いに略同一の長さとされており、吸気用のエアホース４はその他端部４ｂを、副空気袋３の一端部（図３（ａ）では右端部）横の開口部３ａに設けられた吸気用通気弁６に嵌着され、また排気用のエアホース５はその他端部５ｂを、袋状ポンプ３の一端部（図３（ａ）では左端部）横の開口部３ｂに設けられた排気用通気弁７に嵌着される。そして連結部材８は、マスク１の下部のコネクタ１ｄに嵌着される。これにより、吸気用通気弁６は、吸気用のエアホース４を通して空気を副空気袋３の一端部からマスク１へ向けてのみ通流させ、排気用通気弁７は、排気用のエアホース５を通して空気をマスク１から副空気袋３の他端部へ向けてのみ通流させる。
【００２５】
二本のエアホース４，５はまた、副空気袋３と同様に長手方向に押し潰すことで、小さく畳んでバッグ等の収納場所に収めることができ、その収納場所から出して解放すると、弾性フレーム４ｃ，５ｃの弾性力で自動的に拡張する。
【００２６】
かかる実施例の防煙避難用具にあっては、図１，２に示すように、当該避難用具の利用者Ｐが避難する際、収納場所からマスク１を取り出して自動拡張させ、そのマスク１を頭に装着してマスク１で口と鼻と目を覆うとともに、収納場所から主空気袋２と副空気袋３とを取り出して自動拡張させ、主空気袋２の拡張が充分でない場合は副空気袋３で上述の如くして周囲の空気を空気袋２に充填してから、副空気袋３の両端部を両手で持って主空気袋２を背中に回し、次いで副空気袋３の両端部の円盤状部材３ｅ，３ｆを互いに嵌め合わせて副空気袋３を首の周囲でドーナツ状にしてから、主空気袋２の二本のベルト２ｃを胴体の前に回して面ファスナ２ｄで緩みがないように繋ぐことで主空気袋２を胴体に装着し、さらに収納場所からエアホース４，５および連結部材８を取り出して自動拡張させ、それらエアホース４，５を副空気袋３の吸気用通気弁６および排気用通気弁７に結合するとともに連結部材８をマスク１のコネクタ１ｄに結合すると、二本のエアホース４，５と吸気用通気弁６および排気用通気弁７とを介して、主空気袋２および副空気袋３内の空気が副空気袋３の一端部からマスク１に供給されるとともに、そのマスク１から排出された空気が副空気袋３の他端部から副空気袋３および主空気袋２内に収容される。
【００２７】
従ってこの実施例の防煙避難用具によれば、主空気袋２および副空気袋３内の空気がマスク１との間で循環しつつ呼気に供されるので、高圧の酸素タンクのない簡易かつ安価な構成で手軽に５〜１０分間程度の通常の空気の呼吸を可能にし得て、火災等の現場からの安全な脱出の可能性を高めることができる。
【００２８】
しかも、この実施例の防煙避難用具によれば、主空気袋２および副空気袋３が、畳まれた収納状態から開放されるとで自動的に拡張するものであることから、主空気袋２および副空気袋３内へ空気が自動的に充填されるので、緊急時に短時間で容易に使用可能な状態にすることができる。
【００２９】
また、この実施例の防煙避難用具によれば、副空気袋３がポンプとしても機能するものであるので、弾性フレーム３ｃの弾性のみでは主空気袋２が充分に拡張しない場合等に副空気袋３で主空気袋２の拡張を助けることができる。
【００３０】
さらに、この実施例の防煙避難用具によれば、マスク１に、煙および有毒ガスから目を保護する透明なシールド手段が付帯しているので、避難時にシールド手段で視界を容易に確保することができる。
【００３１】
さらに、この実施例の防煙避難用具によれば、マスク１も、畳まれた収納状態から開放されると当該マスク１を自動的に拡張させる全体枠１ａおよびゴーグル枠１ｂを有していることから、マスク１も、収納バッグ等から取り出して収納状態から開放すると全体枠１ａおよびゴーグル枠１ｂの弾性力で自動的にかつ短時間で拡張するので、火災等の現場で容易に装着することができる。
【００３２】
さらに、この実施例の防煙避難用具によれば、二本のエアホース４，５も、畳まれた収納状態から開放されると当該エアホース４，５を自動的に伸張させる弾性フレーム４ｃ，５ｃを有していることから、二本のエアホース４，５も、収納バッグ等から取り出して収納状態から開放すると、弾性フレーム４ｃ，５ｃの弾性力で自動的にかつ短時間で伸張するので、火災等の現場で容易に用いることができる。
【００３３】
以上、図示例に基づき説明したが、この発明は上述の例に限定されるものでなく、特許請求の範囲の記載の範囲内で適宜変更し得るものであり、例えば、主空気袋２は、弾性フレーム２ａを有していず、副空気袋３のポンプとしての機能で拡張されるものでも良く、また、マスク１は、鼻と口だけを覆うものとしても良い。さらに、主空気袋２を胴体の前後に振り分けて二つ具えるようにして、呼吸可能な空気量を増やしても良い。さらに、二本のエアホース４，５は、副空気袋３でなく主空気袋２に接続しても良い。そしてこの発明の防煙避難用具は、高圧の酸素を収容した酸素タンクと組合せて用いても良い。
【産業上の利用可能性】
【００３４】
かくしてこの発明の防煙避難用具によれば、主空気袋および副空気袋内の空気がマスクとの間で循環しつつ呼気に供されるので、高圧の酸素タンクのない簡易かつ安価な構成で手軽に５〜１０分間程度の通常の空気の呼吸を可能にし得て、火災等の現場からの安全な脱出の可能性を高めることができる。
【００３５】
しかもこの発明の防煙避難用具によれば、主空気袋および副空気袋を収納バッグ等から取り出して収納状態から開放すると、それら主空気袋および副空気袋のうち少なくとも副空気袋が有する弾性部材の弾性力で、それら主空気袋および副空気袋のうち少なくとも副空気袋が自動的に拡張するので、火災等の現場で短時間で容易に使用可能な状態にすることができ、さらに、主空気袋も弾性部材を有する場合はその弾性で主空気袋も自動的に拡張するのでより短時間で使用可能な状態にすることができ、また副空気袋がポンプとして機能する場合は主空気袋を強制的に拡張させることができる。
【図面の簡単な説明】
【００３６】
【図１】この発明の防煙避難用具の一実施例を人への装着状態で示す側面図である。
【図２】上記実施例の防煙避難用具を人への装着状態で示す正面図である。
【図３】（ａ），（ｂ）は、上記実施例の防煙避難具の主空気袋および副空気袋を展開状態で示す背面図および側面図である。
【図４】（ａ），（ｂ）は、上記実施例の防煙避難具のマスクおよびエアホースをそれぞれ示す正面図である。
【図５】（ａ），（ｂ）は、上記実施例の防煙避難具の副空気袋の両端部の構成を示す説明図およびその副空気袋の動きを示す説明図である。
【符号の説明】
【００３７】
１  マスク
１ａ  全体枠
１ｂ  ゴーグル枠
１ｃ  樹脂シート
１ｄ  コネクタ
１ｅ  バンド
１ｆ  パッド
２  主空気袋
２ａ，３ｃ，４ｃ，５ｃ  弾性フレーム
２ｂ，３ａ，３ｂ，３ｄ，３ｇ  開口部
２ｃ，３ｈ  ベルト
２ｄ  面ファスナ
３  副空気袋
３ｅ，３ｆ  円盤状部材
４，５  エアホース
４ａ，５ａ  上端部
４ｂ，５ｂ  下端部
６  吸気用通気弁
７  排気用通気弁
８  連結部材
９  笛
【図１】
2007296032.tif 000003
【図２】
2007296032.tif 000004
【図３】
2007296032.tif 000005
【図４】
2007296032.tif 000006
【図５】
2007296032.tif 000007